(57)【要約】【課題】ルーバーパネル６の小口蓋の取り付け作業が容易であるとともに、ルーバーパネル６の取付けが安定し、さらには意匠性も向上させる。【解決手段】建物躯体に取り付けた下地材１に複数の長尺のルーバーパネル６を水平又は垂直方向に間隙をおいて連設し、各ルーバーパネル６上下又は垂直方向に列設するとともに、コーナー部Ａ、隣り合う列のルーバーパネル６間の目地部Ｂ又は端部の列のルーバーパネル６の小口部近傍に、上記ルーバーパネル６の小口を覆う小口隠し部材１２ｂを配し、これらの小口部材の裏側に設けた取付部１４を、小口隠し部材１２ｂに上記隣り合うルーバーパネル６の裏側に固定した。【選択図】図２
2007138430.tif 000002
【特許請求の範囲】
【請求項１】
建物躯体に取り付けた下地材に複数の長尺のルーバーパネルを水平又は垂直方向に間隙をおいて連設し、各ルーバーパネルを上下又は垂直方向に列設するとともに、コーナー部、隣り合う列のルーバーパネル間の目地部又は端部の列のルーバーパネルの小口部近傍に、上記ルーバーパネルの小口を覆う小口隠し部材を配し、これらの小口部材の裏側に設けた取付部を、小口隠し部材に上記隣り合うルーバーパネルの裏側に固定したことを特徴とする建築用外装ルーバー。
【請求項２】
小口隠し部材と取付金具とを一体に形成したことを特徴とする、請求項１に記載の建築用外装ルーバー。
【請求項３】
ルーバーパネルと小口隠し化粧部が同じ断面形状であることを特徴とする、請求項１に記載の建築用外装ルーバー。
【発明の詳細な説明】
【技術分野】
【０００１】
本発明は、建築物の天井、外壁、外階段外周、屋上塔屋、空調設備まわり等に設置される建築用外装ルーバーに関する。
【背景技術】
【０００２】
一般に、建築物の天井、外壁、外階段外周、屋上塔屋、空調設備まわり等には、内部が見えにくく、外観を良好に見せるために建築用外装ルーバーが設置されている。
【０００３】
従来の建築用外装ルーバーは、一種類の形状のルーバーパネルを配置するものがほとんどであった。
【０００４】
また、ルーバーパネルの端部の小口部には蓋をビス等で取り付ける方法が多くとられていた。建築用外装ルーバーは多数のルーバーパネルによって構成されているが、それぞれに蓋をビス止めしていた。
【０００５】
さらに、隣り合うルーバーパネル間の目地部には特に何も設けられていないこともあり、さらに、外装ルーバーのコーナー部には、曲面を有するコーナー部材を取り付けたり、柱材をコーナー部にしていた。
【特許文献１】特開平６−２５７３５５号公報
【発明の開示】
【発明が解決しようとする課題】
【０００６】
しかしながら、多数のルーバーパネルのそれぞれの両端の小口に小口蓋をビス止めする作業は非常に煩雑であった。また、外装ルーバーの外観は平面的で単純なので、意匠性に限界があった。さらに、隣り合うルーバーパネル間には特別の補強手段はないので不安定であり、ブレが生じたり、浮いたりすることがあった。
【０００７】
本発明は上記問題点を解消し、ルーバーパネルの小口蓋の取り付け作業が容易であるとともに、ルーバーパネルの取付けが安定し、さらには意匠性も向上させることができる建築用外装ルーバーを提供することをその課題とする。
【課題を解決するための手段】
【０００８】
前記課題を解決するため、請求項１に係る発明は、建物躯体に取り付けた下地材に複数の長尺のルーバーパネルを水平又は垂直方向に間隙をおいて連設し、各ルーバーパネルを上下又は垂直方向に列設するとともに、コーナー部、隣り合う列のルーバーパネル間の目地部又は端部の列のルーバーパネルの小口部近傍に、上記ルーバーパネルの小口を覆う小口隠し部材を配し、これらの小口部材の裏側に設けた取付部を、小口隠し部材に上記隣り合うルーバーパネルの裏側に固定したことを特徴とする。
【０００９】
請求項２に係る発明は、小口隠し部材と取付金具とを一体に形成したことを特徴とする。
【００１０】
請求項３に係る発明は、ルーバーパネルと小口隠し化粧部が同じ断面形状であることを特徴とする。
【発明の効果】
【００１１】
請求項１に係る発明によれば、小口隠し部材は取付作業が容易であるとともに、１つの小口隠し部材によって多数のルーバーパネルの小口を隠すことができ、各ルーバーパネルの両端の小口に１つひとつ小口蓋を取り付ける必要がないので、非常に便利である。さらに、小口隠し部材はルーバーパネル同士を取付金具を介して連結するので、ルーバーパネルの取付けが安定する。さらには、外装ルーバーのコーナー部、ルーバーパネル間の目地部又は端部のルーバーパネルの小口部近傍に小口隠し部材を配する構成なので、外観に変化ができ、意匠性に優れた建築用ルーバーを得ることができる。
【００１２】
請求項２に係る発明によれば、取付部は取付金具と同じ機能を果たすものであるが、これを小口隠し部材と一体に形成したことにより、特別に取付金具を用意する必要がなく、また取付金具を小口隠し部材に取り付ける必要もない。したがって、取り付け作業が容易であるだけでなく、コストも低く抑えることができる。
【００１３】
請求項３に係る発明によれば、ルーバーパネルと小口隠し化粧部が同じ断面形状であるから、同じルーバーパネルを使用しながら、外観に変化ができ、意匠性に優れた建築用ルーバーを得ることができる。
【発明を実施するための最良の形態】
【００１４】
以下に本発明に係る建築用ルーバーの一実施形態について説明する。
【００１５】
図１は建物の屋上塔屋に設置された建築用外装ルーバーの全体概観図、図２はその一部の平面図であり、図３は図２のＸ−Ｘ線上の断面図である。上記図において符号１は建築躯体に取り付けられた下地材を示す。この下地材１は金属製のＬ字形部材から構成され、下地材１の外側には長尺の金属製アングル材２ａ、２ｂを介してルーバーパネル６が配置固定されている。
【００１６】
ルーバーパネル６は一定の長さのアルミニウムの型材からなり、断面が長方形の中空体で、基部の内側にはあり溝８が形成されている。あり溝８の内側には短尺のネジ受け１０が配置されている。そして、各ルーバーパネル６は、上記アングル材２ｂの取付縁５から挿通されたボルト１１を上記ルーバーパネル６の基部のあり溝８内に配置されたネジ受け１０にボルト止めすることにより固定されている。
【００１７】
上記ルーバーパネル６は水平に配置され、上下に間隙をおいて複数のルーバーパネル６が上下方向に列設されている。また、各ルーバーパネル６の隣りには同じ高さ位置に間隙をおいて他のルーバーパネル６が連設されている。
【００１８】
次に、上記建築用ルーバーのコーナー部Ａと目地部Ｂと端部Ｃには、それぞれ次のような小口隠し部材１２ａ、１２ｂ、１２ｃが取り付けられている。以下、順次説明する。
【００１９】
コーナー部Ａの小口隠し部材１２ａは図４（ａ）に示されるように、互いに直角をなすように形成された化粧部１３ｂとその基部の取付部１４とから一体に形成されている。化粧部１３ｂは断面が上記ルーバーパネル６の化粧部１３ａと同じく長方形の中空形状に形成され、ルーバーパネル６の幅よりも幅広に形成されている。そして、基部の取付部１４にはあり溝１５が形成されている。あり溝１５は上記２つの化粧部１３ｂと同じ角度をなす方向に外向きに開口している。取付部１４のあり溝１５内にはボルト１６の頭部１６ａが嵌合され、ボルト１６は短尺の取付金具１７を介してコーナー部Ａで隣り合うルーバーパネル６の裏側に貫通され、ナット１８で締結されている。これにより、上記小口隠し部材１２ａの両側の化粧部１３ｂは、コーナー部Ａにおいて上下に列設され、隣り合っている両側のルーバーパネル６の小口を隠すことができる。
【００２０】
なお、取付金具１７は図２、図５に示されるように、隣り合う列のルーバーパネル６の裏面に配された取付具９にボルト１９で固定されている。
【００２１】
目地部Ｂの小口隠し部材１２ｂは図４（ｂ）に示されるように、化粧部１３ｂとその基部の取付部１４とから一体に形成されている。化粧部１３ｂは断面が上記ルーバーパネル６の基本形状と同じく長方形の中空形状に形成され、上記コーナー部Ａのルーバーパネル６と同じ幅に形成されている。同様に、基部の取付部１４にもあり溝１５が形成されている。このあり溝１５内にはボルト１６の頭部１６ａが嵌合され、ボルト１６は短尺の取付金具２０を介して目地部Ｂで隣り合うルーバーパネル６の裏側に貫通され、ナット１８で締結されている。これにより、上記小口隠し部材１２ｂの化粧部１３ｂは、コーナー部Ａにおいて上下に列設され、隣り合っている両側のルーバーパネル６の小口を隠すことができる。
【００２２】
なお、取付金具２０は図２、図５に示されるように、隣り合う列のルーバーパネル６の裏面に配された取付具９にボルト１９で固定されている。
【００２３】
端部Ｃの小口隠し部材１２ｃは上記目地部Ｂの小口隠し部材１２ｂと同じ大きさで、端部のルーバーパネル６の裏側に短尺の取付金具２１を介してボルト１６、ナット１８で固定されている。この場合も、上記小口隠し部材１２ｃの化粧部１３ｂは、端部において上下に列設されたルーバーパネル６の小口を隠すことができる。
【００２４】
なお、取付金具２１は端部のルーバーパネル６の裏面に配された取付具９にボルト１９で固定されている。外装ルーバーのコーナー部Ａ、ルーバーパネル間の目地部Ｂ又は端部Ｃのルーバーパネル６の取付金具は、すべての隣り合う列のルーバーパネル６の裏面を取付具９で固定しても良く、適宜１本毎乃至数本毎のピッチで、固定してもよい。
【００２５】
また、小口隠し部材１２ａ、１２ｂ、１２ｃの上下端にはビスホール２３を利用して小口蓋２２を取り付ければよい。
【００２６】
上述のように、小口隠し部材１２ａ、１２ｂ、１２ｃは取付作業が容易であるとともに、１つの小口隠し部材１２ａ、１２ｂ、１２ｃによって多数のルーバーパネル６の小口を隠すことができ、各ルーバーパネル６の両端の小口に１つひとつ小口蓋を取り付ける必要がないので、非常に便利である。さらに、小口隠し部材１２ａ、１２ｂ、１２ｃはルーバーパネル６同士を取付金具を介して連結するので、ルーバーパネル６の取付けが安定する。
【００２７】
外装ルーバーのコーナー部Ａ、ルーバーパネル間の目地部Ｂ又は端部Ｃのルーバーパネルの小口部近傍に小口隠し部材１２ａ、１２ｂ、１２ｃを配する構成なので、外観に変化ができ、意匠性に優れた建築用ルーバーを得ることができる。
【００２８】
また、ルーバーパネル６と小口隠し部材１２ａ、１２ｂ、１２ｃの化粧部１３ａ、１３ｂは同じ断面形状であるから、外観に変化ができ、意匠性に優れた建築用ルーバーを得ることができる。小口隠し部材１２ａ、１２ｂ、１２ｃは、外装ルーバーのコーナー部Ａ、ルーバーパネル間の目地部Ｂ又は端部Ｃにおいて、すべての個所に使用しても良く、各部単独で使用することもでき、適宜組み合わせて使用することもできる。
【００２９】
なお、小口隠し部材の化粧部１３ｂはルーバーパネル６の化粧部１３ａと同じ断面形状のものに限定されない。例えば、ルーバーパネル６の断面は図６（ａ）（ｂ）のように化粧部１３ａが直状又はＨ形に形成されているのに対し、図７のように、小口隠し部材１２ａ、１２ｂ、１２ｃの化粧部１３ｂを先端が膨突したものとして構成してもよい。
【００３０】
また、上述の実施形態は、上記小口隠し部材１２ｂと取付金具を別体とした構成であるが、これに限定されない。図７あるいは図８に示されるように、小口隠し部材１２ａ、１２ｂ、１２ｃと取付金具とを一体に形成してもよい。すなわち、コーナー部Ａの小口隠し部材１２ａは、互いに直角をなすように形成された化粧部１３ｂとその基部の取付部２４とから一体に形成されている。化粧部１３ｂは断面が長方形の中空形状に形成され、ルーバーパネル６の幅よりも幅広に形成されている。そして、基部の取付部２４は化粧部１３ｂと延長方向に突出形成されている。取付部２４は直接にコーナー部Ａで隣り合うルーバーパネル６の裏側に固定されている。これにより、上記小口隠し部材１２ａの両側の化粧部１３ｂは、コーナー部Ａにおいて上下に列設され、隣り合っている両側のルーバーパネル６の小口を隠すことができる。
【００３１】
同様に、目地部Ｂの小口隠し部材１２ｂは、化粧部１３ｂとその基部の取付部２５とから一体に形成されている。化粧部１３ｂの大きさと形状はコーナー部Ａの小口隠し部材１２ｂの化粧部１３ｂと同じである。そして、小口隠し部材１２ｂの基部には上記化粧部１３ｂと直角に形成された取付部２５が形成されている。取付部２５は直接に目地部Ｂで隣り合うルーバーパネル６の裏側に固定されている。
【００３２】
同様に、端部Ｃの小口隠し部材１２ｃも化粧部１３とその基部の取付部２６とから一体に形成され、小口隠し部材１２ｃの基部には上記化粧部１３と直角に形成された取付部２６が形成されている。取付部２６は直接に端部のルーバーパネル６の裏側に固定されている。
【００３３】
なお、小口隠し部材１２ｂの上下端にはビスホール２３を利用して小口蓋を取り付ければよい。
【００３４】
上述のように、上記取付部２４、２５，２６は取付金具と同じ機能を果たすものであるが、これを小口隠し部材１２ａ、１２ｂ、１２ｃと一体に形成したことにより、特別に取付金具やボルト、ナットを用意する必要がなく、また取付金具を小口隠し部材１２ａ、１２ｂ、１２ｃに取り付ける必要もない。したがって、取り付け作業が容易であるだけでなく、コストも低く抑えることができる。
【００３５】
なお、上述の実施形態ではルーバーパネルを水平方向に使用した例であるが、これに限定されない。ルーバーパネルを垂直方向に使用する実施形態でもよい。
【図面の簡単な説明】
【００３６】
【図１】建物の屋上塔屋に設置された建築用外装ルーバーの全体概観図である。
【図２】上記建築用外装ルーバーの一部の平面図である。
【図３】図２のＸ−Ｘ線上の断面図である。
【図４】（ａ）（ｂ）はそれぞれコーナー部と目地部の小口隠し部材とその取付金具の分解平面図である。
【図５】上記建築用外装ルーバーの一部を裏側からみた背面図である。
【図６】（ａ）（ｂ）はルーバーの他の形状を示す側面図である。
【図７】他の形状の小口隠し部材を使用した外装ルーバーの一部の平面図である。
【図８】別の形状の小口隠し部材を使用した外装ルーバーの一部の平面図である。
【符号の説明】
【００３７】
Ａ  コーナー部
Ｂ  目地部
Ｃ  端部
１  下地材
６  ルーバーパネル
１２ａ、１２ｂ、１２ｃ  小口隠し部材
１４  取付部
【図１】
2007138430.tif 000003
【図２】
2007138430.tif 000004
【図３】
2007138430.tif 000005
【図４】
2007138430.tif 000006
【図５】
2007138430.tif 000007
【図６】
2007138430.tif 000008
【図７】
2007138430.tif 000009
【図８】
2007138430.tif 000010